(57)【特許請求の範囲】
【請求項１】
前面が開口した断熱筐体として形成された庫内に商品を収納してなる本体キャビネットと、当該本体キャビネットの庫内前面にヒンジを介して開閉可能に配設された断熱内扉とを備えた自動販売機において、前記ヒンジを構成するところの本体キャビネットに固着される蝶番片は薄板により形成されるとともに平板状の矩形本体の先端にヒンジピンを嵌入するカール部が形成され、かつ、矩形本体の上下両端に折り曲げにより形成された一対の脚片が形成されてなり、前記脚片は矩形本体の折り曲げ部を一辺とする略三角形状に形成され、当該脚片における前記矩形本体のカール部とは反対側の端部に隣接する辺に本体キャビネットへの係止手段を設け、当該それぞれの係止手段を前記本体キャビネットに係止した際に前記矩形本体のカール部が本体キャビネットから離隔し、カール部とは反対側の端部が本体キャビネットに近接して矩形本体における脚片の折り曲げ部の辺の延長線が本体キャビネットの取付面に交差する態様で取付けられることを特徴とする自動販売機。
【請求項２】
請求項１記載の自動販売機において、係止手段はそれぞれの脚片における前記矩形本体のカール部とは反対側の端部に隣接する辺から外側に延在する固定舌片であり、当該固定舌片を本体キャビネットにねじ止めしてなることを特徴とする自動販売機。
【請求項３】
請求項１記載の自動販売機において、係止手段はそれぞれの脚片における前記矩形本体のカール部とは反対側の端部に隣接する辺に設けたフックであり、当該フックを本体キャビネットに係合してなることを特徴とする自動販売機。
【請求項４】
請求項３記載の自動販売機において、矩形本体はそのカール部とは反対側の端部に折り曲げにより固定底板を有し、当該固定底板を本体キャビネットにねじ止めしてなることを特徴とする自動販売機。
【発明の詳細な説明】
【技術分野】
【０００１】
この発明は、前面が開口した断熱筐体として形成された庫内に商品を収納してなる本体キャビネットと、当該本体キャビネットの庫内前面にヒンジを介して開閉可能に配設された断熱内扉とを備えた自動販売機に関する。
【背景技術】
【０００２】
紙パック入り飲料,缶入り飲料，瓶入り飲料，ペットボトル飲料などの商品を販売する自動販売機は本体キャビネットの庫内に商品を冷蔵，温蔵状態に区分して保存し、外扉のディスプレイ室内に陳列した複数の商品見本を左右に並べて展示し、商品見本に応じて設けられた商品選択ボタンを押すことにより指定された商品を販売するように構成されている。この種の従来の自動販売機について図３を用いて説明する。
図３において、１０は前面が開口した箱形の断熱筐体として形成された本体キャビネットであり、この本体キャビネット１０にはその庫内前面を閉塞する片開き式の断熱内扉３０が取付けられるとともに本体キャビネット１０の前面に片開き式の外扉２０が取付けられている。前記本体キャビネット１０の庫内は、仕切壁１０ａにより左右に並ぶ複数の商品収納室（この例では２室）に仕切られており、各商品収納室には紙パック入り飲料などの商品を収容するとともにその下端に商品を搬出する商品払出機構を有する商品収納ラック４０、商品搬出シュート５０および冷却／加熱ユニット（不図示）が上下方向に収設されている。前記断熱内扉３０には前記商品搬出シュート５０と外扉２０に形成した商品取出口２０ａを連係して開口したフラッパ付きの商品搬出口３０ａが設けられている。なお、６０は商品収納室内の冷却ユニットと冷凍サイクルを構成する凝縮器，圧縮機などを収納した機械室である。また、前記外扉２０の前面には、周知のように、商品見本のディスプレイ室，硬貨投入口，紙幣投入口，返却レバー，釣銭返却口，ロック付きハンドルなどが設けられている。
【０００３】
前記商品収納ラック４０は本体キャビネット１０の庫内に引出し自在に格納されている。すなわち、既に公知であり良く知られているように、本体キャビネット１０の庫内天井にはレールが固定されている一方、商品収納ラック４０の上端には前記レールに摺動自在に結合されたスライダが固定され、商品収納ラック４０に設けた不図示の把手を引っ張ることにより商品収納ラック４０を庫内から引出すことができる。前記商品収納ラック４０への各種商品の補充は、オペレータが前記庫内から商品収納ラック４０を引出した上で各商品収納コラムの開放面を閉塞している扉４０ａを開放し、この状態で商品を各コラムに装填して積み上げ収容し、扉４０ａを閉じて商品収納ラック４０を元の庫内格納位置に戻す。
前記断熱内扉３０は商品収納ラック４０に商品を補充する際に開放され、また、商品収納ラック４０に収容された商品を庫内で冷却若しくは加熱する際に閉止されるように構成されている。前記断熱内扉３０は自動販売機の前面から見て左端側がヒンジを介して本体キャビネット１０に取付けられている（例えば、特許文献１）。
【０００４】
前記特許文献１に開示された自動販売機における断熱内扉のヒンジを図４に示す。図４は図３における白抜き矢印Ａの方向から見た要部斜視図であり、図では外扉２０を省略している。図４において、７０はヒンジを示し、このヒンジ７０は一対の蝶番片７１，７２と、ヒンジピン７３とからなる。一対の蝶番片７１，７２は薄板鋼板により先端にカール部を設けて形成され、上部側の蝶番片７１が断熱内扉３０に、そして下部側の蝶番片７２が厚板鋼板からなる補強金具７４を介して本体キャビネット１０の補強金具１０１にそれぞれねじにより固着されている。なお、ヒンジピン７３は上下一対の蝶番片７１，７２のカール部に嵌入する大きさ（径）の棒状部材からなり、その略中央に蝶番片７２のカール部端縁に当接するリング状突部を有しており、下部側の蝶番片７２のカール部に嵌入させると前記リング状突部が蝶番片７２のカール部端縁に当接することにより下部側の蝶番片７２に保持されるように構成されている。
【先行技術文献】
【特許文献】
【０００５】
【特許文献１】実開平２−３８６７８号公報
【発明の概要】
【発明が解決しようとする課題】
【０００６】
ところで、前記ヒンジ７０において断熱内扉３０の負荷が最もかかるのは本体キャビネット１０の補強金具１０１との固着部であり、薄板鋼板からなる下部側の蝶番片７２のみでは前記負荷により変形してしまう。このため、厚板鋼板からなる補強金具７４を蝶番片７２に溶接して機械的強度を確保し、補強金具７４を本体キャビネット１０の補強金１０１に固着している。ここで、補強金具７４にカール部を形成すれば蝶番片７２を必要としないのであるが、補強金具７４は前述した厚板鋼板からなり、このような厚板鋼板にヒンジピン７３を嵌入するための小径のカール部を形成することが困難である。それゆえ、ヒンジピン７３を嵌入するための小径のカール部を形成することが可能な薄板の蝶番片７２が必要となり、蝶番片７２と補強金具７４を溶接して一体化するように構成されている。このように、ヒンジ７０は断熱内扉３０の荷重（負荷）に対する機械的強度を確保するために補強金具７４を設けねばならず、部品点数が増加し、また、両者の溶接作業を必要とすることから作業工数が増加するという課題を有する。
【０００７】
そこで、本発明は上記の点に鑑みなされたものであり、その目的は前記課題を解決し、機械的強度を確保しつつヒンジの部品点数を削減することが可能な自動販売機を提供することにある。
【課題を解決するための手段】
【０００８】
上記目的を達成するために請求項１に係る発明は、前面が開口した断熱筐体として形成された庫内に商品を収納してなる本体キャビネットと、当該本体キャビネットの庫内前面にヒンジを介して開閉可能に配設された断熱内扉とを備えた自動販売機において、前記ヒンジを構成するところの本体キャビネットに固着される蝶番片は薄板により形成されるとともに平板状の矩形本体の先端にヒンジピンを嵌入するカール部が形成され、かつ、矩形本体の上下両端に折り曲げにより形成された一対の脚片が形成されてなり、前記脚片は矩形本体の折り曲げ部を一辺とする略三角形状に形成され、当該脚片における前記矩形本体のカール部とは反対側の端部に隣接する辺に本体キャビネットへの係止手段を設け、当該それぞれの係止手段を前記本体キャビネットに係止した際に前記矩形本体のカール部が本体キャビネットから離隔し、カール部とは反対側の端部が本体キャビネットに近接して矩形本体における脚片の折り曲げ部の辺の延長線が本体キャビネットの取付面に交差する態様で取付けられることを特徴とする。
また、上記目的を達成するために請求項２に係る発明は請求項１に記載した自動販売機において、係止手段はそれぞれの脚片における前記矩形本体のカール部とは反対側の端部に隣接する辺から外側に延在する固定舌片であり、当該固定舌片を本体キャビネットにねじ止めしてなることを特徴とする。
【０００９】
また、上記目的を達成するために請求項３に係る発明は請求項１に記載した自動販売機において、係止手段はそれぞれの脚片における前記矩形本体のカール部とは反対側の端部に隣接する辺に設けたフックであり、当該フックを本体キャビネットに係合してなることを特徴とする。
また、上記目的を達成するために請求項４に係る発明は請求項３に記載した自動販売機において、矩形本体はそのカール部とは反対側の端部に折り曲げにより固定底板を有し、当該固定底板を本体キャビネットにねじ止めしてなることを特徴とする。
【発明の効果】
【００１０】
本発明の請求項１に係る自動販売機におけるによれば、前面が開口した断熱筐体として形成された庫内に商品を収納してなる本体キャビネットと、当該本体キャビネットの庫内前面にヒンジを介して開閉可能に配設された断熱内扉とを備えた自動販売機において、前記ヒンジを構成するところの本体キャビネットに固着される蝶番片は薄板により形成されるとともに平板状の矩形本体の先端にヒンジピンを嵌入するカール部が形成され、かつ、矩形本体の上下両端に折り曲げにより形成された一対の脚片が形成されてなり、前記脚片は矩形本体の折り曲げ部を一辺とする略三角形状に形成され、当該脚片における前記矩形本体のカール部とは反対側の端部に隣接する辺に本体キャビネットへの係止手段を設け、当該それぞれの係止手段を前記本体キャビネットに係止した際に前記矩形本体のカール部が本体キャビネットから離隔し、カール部とは反対側の端部が本体キャビネットに近接して矩形本体における脚片の折り曲げ部の辺の延長線が本体キャビネットの取付面に交差する態様で取付けられることにより、上下一対の略三角形状の脚片を介して本体キャビネットに固着される蝶番片の機械的強度を確保することができ、前記蝶番片を薄板により形成することが可能となる。前記蝶番片が変形することなく取付姿勢を維持する、つまり、蝶番片が薄板材料であっても機械的強度が確保されることは発明者の実験により確認されており、一対の脚片と矩形本体の上下両端との連結部である折り曲げ部が所謂筋交いの機能を果たすことにより前記蝶番片の機械的強度が確保されるものと考えられる。
【図面の簡単な説明】
【００１１】
【図１】本発明の実施の形態１である自動販売機の主要部（ヒンジ部分）の斜視図である。
【図２】本発明の実施の形態２である自動販売機の主要部（ヒンジ部分）を示し、(ａ)はその斜視図、（ｂ）および（ｃ）は (ａ)に示した蝶番片の正面側から見た斜視図および背面側から見た斜視図である。
【図３】本発明の実施対象に係る自動販売機の全体構成を示す外扉開放状態の斜視図である。
【図４】図３における断熱内扉の主要部（ヒンジ部分）の斜視図である。
【発明を実施するための形態】
【００１２】
以下、本発明における実施の形態である自動販売機を図面に基づいて説明する。図１は本発明の実施の形態１である自動販売機の主要部の斜視図であり、図３，図４に示すものと同一のものには同一の符号を付している。なお、図１においては図４と同様に外扉２０を省略している。
図１において、１０１で再び本体キャビネット１０の補強金具を示し、３０は断熱内扉である。１は一対の蝶番片１１，１２とヒンジピン１３からなるヒンジである。このヒンジ１のうち、前記蝶番片１１とヒンジピン１３は図４に示す従来装置と同様のものであり、蝶番片１１は薄板鋼板により先端にカール部を設けて形成されてなるとともに断熱内扉３０にねじにより固着されており、ヒンジピン１３は一対の蝶番片１１，１２のカール部に嵌入する大きさ（径）の棒状部材からなり、その略中央に蝶番片１２のカール部端縁に当接するリング状突部を有しており、下部側の蝶番片１２のカール部に嵌入させると前記リング状突部が蝶番片１２のカール部端縁に当接することにより下部側の蝶番片１２に保持されるように構成されている。
【００１３】
さて、図１において蝶番片１２は薄板鋼板により形成されてなり、平板状の矩形本体１２１の先端にヒンジピン１３を嵌入するカール部が形成され、矩形本体１２１の上下両端に折り曲げにより形成された一対の脚片１２２，１２３が備えられている。前記脚片１２２，１２３はそれぞれの辺の長さが異なる異形形状に形成され、先端を外側に折り曲げて形成した固定舌片１２２ａ，１２３ａを本体キャビネット１０の補強金具１０１にねじにより固定されている。そして、脚片１２２，１２３を本体キャビネット１０の補強金具１０１に固着したとき、前記矩形本体１２１のカール部が本体キャビネット１０から離隔し、矩形本体１２１のカール部とは反対側の端部が補強金具１０１（本体キャビネット１０）に近接するように配設されている。
前記ヒンジ１は自動販売機を組立てる前に予め本体キャビネット１０および断熱内扉３０に組付けられており、前記蝶番片１２が固定舌片１２２ａ，１２３ａを介して本体キャビネット１０の補強金具１０１にねじにより固着され、一方、蝶番片１１が断熱内扉３０にねじにより固着されている。前記断熱内扉３０を本体キャビネット１０への取付けるに当たり、本体キャビネット１０の補強金具１０１に固着された蝶番片１２のカール部にヒンジピン１３を嵌入する。その後、前記断熱内扉３０を持ち上げて蝶番片１１のカール部を、前記蝶番片１２に嵌入されたヒンジピン１３の他端に嵌入させる。このようにして取付けられた断熱内扉３０はヒンジ１によって本体キャビネット１０に開閉可能に配設され、ヒンジ１とは反対側を本体キャビネット１０に係止させることにより本体キャビネット１０の庫内前面を閉塞する。
【００１４】
前述したように自動販売機に組付けられたヒンジ１は断熱内扉３０を支持し、その際、断熱内扉３０の荷重（負荷）が本体キャビネット１０の補強金具１０１に固着された蝶番片１２にかかる。このために蝶番片１２は脚片１２２，１２３が本体キャビネット１０の補強金具１０１の面に対して鉛直な起立状態（取付状態）から脚片１２２，１２３が補強金具１０１の面に対して鋭角（若しくは鈍角）に歪んだ傾倒姿勢に変形しようとするが、図１に示すように配設された蝶番片１２においては変形することがない。その理由について前記断熱内扉３０の荷重により変形が発生する例とともに次に説明する。
まず、変形が発生する例から説明すると、前記脚片１２２，１２３がそれぞれの辺の長さの異なる異形形状に形成されている際にも、矩形本体１２１の平面が補強金具１０１の面に平行な場合、つまり、脚片１２２，１２３の形状が（平面から見て）補強金具１０１の面と矩形本体１２１の面が平行な台形形状の場合には断熱内扉３０の荷重（負荷）がかかると前記脚片１２２，１２３が倒れて蝶番片１２は起立姿勢（取付状態）から傾倒姿勢に変形してしまう。これは、脚片１２２，１２３が矩形本体１２１により連結されているものの矩形本体１２１が前記荷重（負荷）を支えるために何ら機能していないことから脚片１２２，１２３が折り曲げ部（矩形本体１２１からの折り曲げ部と固定舌片１２２ａ，１２３ａの折り曲げ部）から変形してしまうことによる。
【００１５】
一方、本実施の形態１の蝶番片１２、すなわち、その脚片１２２，１２３のそれぞれの辺の長さが異なる異形形状に形成されているとともに前記脚片１２２，１２３を本体キャビネット１０の補強金具１０１に固着したとき、前記矩形本体１２１のカール部が本体キャビネット１０から離隔し、矩形本体１２１のカール部とは反対側の端部が本体キャビネット１０に近接するように配設された蝶番片１２については、断熱内扉３０の荷重（負荷）を加えても傾倒姿勢に変形することはない。この点については、前記蝶番片１２に断熱内扉３０の荷重（負荷）を加えることにより蝶番片１２が傾倒姿勢に変形するかどうかを実験した結果から確認されている。前記蝶番片１２が断熱内扉３０の荷重（負荷）によっても変形しない理由は、前記脚片１２２，１２３のそれぞれの辺を結ぶところの、前記脚片１２２，１２３と矩形本体１２１のとの連結部である折り曲げ部が筋交いの役目を果たして脚片１２２，１２３の変形を阻止するものと考えられる。このように、本実施の形態の蝶番片１２においては、薄板材料により形成したとしても傾倒姿勢に変形することなく起立姿勢（取付状態）を維持し、断熱内扉３０の荷重（負荷）を支える機械的強度を確保することができるものである。
【００１６】
なお、前述した実施の形態では蝶番片１２の脚片１２２，１２３を本体キャビネット１０の補強金具１０１にねじにより固着するようにしているが、これに限るものではなく、次のように構成することができる。すなわち、前記脚片１２２，１２３の先端に下向きのフック、つまり、図１では脚片１２２の先端に形成した固定舌片１２２ａを外側（上向き）に折り曲げているが、これを脚片１２３の固定舌片１２３ａのように下向きに折り曲げてフックを形成し、一方、本体キャビネット１０の補強金具１０１に前記フックと係合する係合孔を形成し、前記フックを係合孔に係合させて蝶番片１２を本体キャビネット１０に取付けることもできる。
次に、本発明の実施の形態２を図２に示す実施例に基づいて説明する。図２は本発明の実施の形態２である自動販売機の主要部（ヒンジ部分）を示し、(ａ)はその斜視図、（ｂ）および（ｃ）は (ａ)に示した蝶番片の正面側から見た斜視図および背面側から見た斜視図である。なお、図１に示した実施の形態１と同一のものには同一の符号を付している。
【００１７】
図２に示す実施の形態２のヒンジ１Ａが図１に示す実施の形態１のヒンジ１と相違する点は蝶番片１２Ａの構造であるのでここでは蝶番片１２Ａを主に説明する。前記蝶番片１２Ａは実施の形態１の蝶番片１２と同様に薄板鋼板により形成されてなり、平板状の矩形本体１２１の先端にヒンジピン１３を嵌入するカール部が形成され、矩形本体１２１の上下両端に折り曲げにより形成された一対の脚片１２２，１２３が備えられている。そして、前記脚片１２２，１２３はそれぞれの辺の長さが異なる異形形状に形成され、脚片１２２，１２３を本体キャビネット１０の補強金具１０１に固着したとき、前記矩形本体１２１のカール部が本体キャビネット１０から離隔し、矩形本体１２１のカール部とは反対側の端部が補強金具１０１（本体キャビネット１０）に近接するように配設される点は図１に示した蝶番片１２と同一である。
【００１８】
さて、図２に示した蝶番片１２Ａにおける矩形本体１２１のカール部とは反対側には固定底板１２４が折り曲げにより一体的に形成されており、その固定底板１２４にはねじの挿通孔１２４ａが形成されるとともに前記矩形本体１２１には前記挿通孔１２４ａを介して本体キャビネット１０の補強金具１０１に螺着されるねじの操作用孔１２１ａが形成されている。また、蝶番片１２Ａにおける矩形本体１２１の上下両端に折り曲げにより形成された一対の脚片１２２，１２３の先端には下向きのフック１２２ｂ，１２３ｂがそれぞれ折り曲げにより形成されている。一方、本体キャビネット１０の補強金具１０１には前記フック１２２ｂ，１２３ｂが通過可能な大きさに形成された一対の係合孔１１１，１１１（図では下側の係合孔１１１は蝶番片１２Ａの矩形本体１２１に隠れて見えない）が形成されている。
【００１９】
前記蝶番片１２Ａの本体キャビネット１０への組付けについて説明すると、まず蝶番片１２Ａの一対の脚片１２２，１２３に形成されたフック１２２ｂ，１２３ｂを本体キャビネット１０の補強金具１０１に穿孔された係合孔１１１，１１１に嵌め込んだ上で蝶番片１２Ａを下方に向けてスライドさせる。これにより前記フック１２２ｂ、１２３ｂが補強金具１０１の背後に潜り込んで係合孔１１１，１１１に係止され、蝶番片１２Ａは仮固定される。この後、矩形本体１２１の操作用孔１２１ａを介して固定底板１２４に形成された挿通孔１２４ａにねじを挿入し、当該ねじを工具により捻じ込むことにより蝶番片１２Ａが本体キャビネット１０に固着される。なお、本体キャビネット１０１には前記ねじがねじ込まれる螺旋状の雄ねじが形成されているものである。この実施の形態２におけるヒンジによれば蝶番片１２Ａを本体キャビネット１０に固着するねじを一本のみとすることができるのでコストの低減を図ることができる。
【００２０】
前述したとおり本発明によれば、前面が開口した断熱筐体として形成された庫内に商品を収納してなる本体キャビネット１０と、当該本体キャビネット１０の庫内前面にヒンジ１（１Ａ）を介して開閉可能に配設された断熱内扉３０とを備えた自動販売機において、前記ヒンジ１（１Ａ）を構成するところの本体キャビネット１０に固着される蝶番片１２（１２Ａ）は薄板により形成されるとともに矩形本体１２１の先端にヒンジピン１３を嵌入するカール部が形成され、かつ、矩形本体１２１の上下両端に折り曲げにより形成された一対の脚片１２２，１２３が形成されてなり、前記脚片１２２，１２３は矩形本体１２１の折り曲げ部を一辺とする略三角形状に形成され、当該脚片１２２，１２３における前記矩形本体１２１のカール部とは反対側の端部に隣接する辺に本体キャビネット１０への係止手段（固定舌片１２２ａ，１２３ａ、フック１２２ｂ，１２３ｂ）を設け、当該それぞれの係止手段を前記本体キャビネット１０に係止した際に前記矩形本体１２１のカール部が本体キャビネット１０から離隔し、カール部とは反対側の端部が本体キャビネット１０に近接して矩形本体１２１における脚片１２２，１２３の折り曲げ部の辺の延長線が本体キャビネット１０の取付面（補強金具１０１）に交差する態様で取付けられることにより、前記蝶番片１２（１２Ａ）を薄板により形成してもその機械的強度を確保することができ、従来のように補強金具を必要としないことからヒンジの部品点数および作業工数を削減することが可能となる。
【符号の説明】
【００２１】
１，１Ａ    ヒンジ
１０    本体キャビネット
１１，１２，１２Ａ      蝶番片
１３    ヒンジピン
２０    外扉
３０    断熱内扉
４０    商品収納ラック
１２１    矩形本体
１２２，１２３    脚片
【図１】
0005359470.tif 000002
【図２】
0005359470.tif 000003
【図３】
0005359470.tif 000004
【図４】
0005359470.tif 000005